(57)【要約】【課題】本発明の課題は、複数の宛先への電子メール送信において、ユーザによる宛先確認の負担が高いため、ユーザミスによる誤送信が発生しやすいという問題があった。【解決手段】前記課題は、メールアドレス取得解析部１１０にて宛先をドメイン単位に分割し、表示可否判断部１１３にて、送信履歴確認部１１１とドメイン確認部１１２の確認結果と、表示条件テーブル１２２の条件を比較することで表示する宛先の絞りこみを行い、更に送信先表示部１１４にて、宛先のドメインごとにグループ分けをして表示させ、宛先を示す矢印は表示書式テーブル１２２の条件により宛先の強調表示を行い、視覚的にわかりやすく表示させることで達成される。【選択図】図１
2008257536.tif 000002
【特許請求の範囲】
【請求項１】
メール宛先確認画面において、宛先をドメインごとにグループ分けをして表示するよう
にしたことを特徴とする電子メール宛先確認支援システム。
【請求項２】
宛先を表示する際に、表示条件により表示する宛先を絞れるようにしたことを特徴とす
る請求項１の電子メール宛先確認支援システム。
【請求項３】
宛先を表示する際に、表示条件により特定の宛先を強調表示できるようにしたことを特
徴とする、請求項１の電子メール宛先確認支援システム。
【請求項４】
請求項１または２または３のメール宛先確認画面で、簡単な操作で宛先を削除できるよ
うにしたことを特徴とする、電子メール宛先確認支援システム。
【発明の詳細な説明】
【技術分野】
【０００１】
本発明は、電子メール送信システムにおける、電子メールの送信支援および誤送信の防
止に関するものである。
【背景技術】
【０００２】
近年、電子メールでのやり取りが一般的に行われているが、意図しない宛先に誤ってメ
ールを送信することによる機密情報、プライバシー情報の漏洩が大きな問題になっている
。
【０００３】
本問題の解決手段として、送信先のメールアドレスを再表示させ目視により確認を促す
方法が知られており、他にも、特許文献１に記載のように、事前に送信可能なドメインを定義しておき、メール送信時に定義情報と比較することで、異なるドメインを含むメールアドレスに送信する場合は警告画面を表示し、誤送信を抑止するようになっていた。
【０００４】
【特許文献１】特開２００２−３２４０２９号公報
【発明の開示】
【発明が解決しようとする課題】
【０００５】
目視による確認では、送信先に複数のメールアドレスが含まれていた場合に、全てのメ
ールアドレスを目視で1件づつ確認することは、宛先のアドレス件数に比例して確認に時
間がかかり、ユーザの負担が大きいため、ユーザミスが発生しやすいという問題がある。
【０００６】
更に、近年の電子メール送信システムのアドレス帳では、送信先にメールアドレスでは
なく別名として表示する機能があり、この機能を使用していた場合は、メールアドレス自
体が表示されないため目視で確認すること自体が困難である。
【０００７】
更に、例えば、電子メールは、複数人とディスカッションを行う場合にも使用される。
宛先が複数含まれている状態で、相互に返信を繰り返すような状況が起こった場合に、毎
回宛先を確認するのは、手間、時間といったユーザの負担が高く現実的ではない。この状
態で宛先が新規に追加されていても気づくことは難しい。
【０００８】
本発明の目的は、電子メールの宛先をドメインごとのグループとして表示することで、
ユーザの宛先確認の負担を軽減させ、ユーザミスによる意図しない宛先への電子メール誤
送信を防止することにある。
【課題を解決するための手段】
【０００９】
上記目的を達成するために、入力済みの電子メールの送信元、送信先アドレスをドメイ
ン名として解析し記憶するメールアドレス取得解析部と、過去の電子メールの送信履歴を
確認する送信履歴確認部と、前記の送信元、送信先のドメイン名を比較するドメイン確認
部と、前記の送信履歴とドメイン比較結果を用いて電子メール宛先の描画可否を判断する
表示可否判断部と、前記の表示可否と判断された送信先に対して前記の解析された送信元
と送信先のドメインの階層を集合として描画を行う送信先表示部と、送信後に送信履歴内
容を更新する送信後処理部と、動的に画面出力条件の変更処理を行う宛先表示変更部と、
ＧＵＩ（Graphical User Interface）操作から宛先の削除処理を行う送信先削除部を有す
るように構成したものである。
【発明の効果】
【００１０】
本発明によれば、送信者と送信先の関係を視覚化し一括で表示させるため、従来と比べ
意図していないメールアドレスが含まれているかどうかの確認が容易にでき、ユーザミス
による誤送信を防ぐ効果がある。
【発明を実施するための最良の形態】
【００１１】
以下、本発明を実施するための最良の形態を図面に基づいて詳細に説明する。
【００１２】
図１は、本発明における電子メール宛先確認支援システムの構成を示すものである。
【００１３】
本実施例では、ネットワーク１０３で接続されたメールサーバ１０１とメールクライア
ント１０２で実現されており、サーバ１０１にはメモリ１０４、ＣＰＵ１０５、ハードデ
ィスク１０７を持ち、メールクライアント１０２には、メモリ１０７、ＣＰＵ１０８、ハ
ードディスク１０９を持ち、入力装置１１０、表示装置１１１と接続されている。
【００１４】
更にメモリ１０７には、任意のメーラー１１２とメール宛先確認支援システム１１３を
持つ。メール宛先確認支援システム１１３には、前記メーラーによって入力された電子メ
ールアドレスを取得し、メールアドレスを階層別にドメインを抽出するメールアドレス取
得解析部１１４、過去の送信履歴情報を確認する送信履歴確認部１１５、送信先と送信元
のドメインを階層別に比較を行うドメイン確認部１１６、抽出したドメイン情報および過
去の送信履歴からメール宛先を画面出力するかどうかを判定する表示可否判断部１１７、
表示装置に表示を行う送信先表示部１１８、メール送信完了後の後処理を行う送信後処理
部１１５、画面出力上からの操作で送信アドレスを削除する送信先削除部１２０、画面出
力条件の変更処理を行う宛先表示変更部１２１を持つ。
【００１５】
また本システムの情報を記憶するテーブルとして、メールアドレス情報テーブル１２２
、送信元メールアドレス情報テーブル１２３、送信履歴テーブル１２４、ドメイン対応テ
ーブル１２５、表示条件テーブル１２６、表示書式テーブル１２７が割り当てられている
。本実施例では、メールクライアントのメモリ内に本システムを割り当てることにより実
現した例を示したが、メールサーバ側のメモリ内に割り付けてもよい。
【００１６】
次に図１を用いて本システムの動作を簡単に説明する。
【００１７】
メールクライアント１０２内のメーラー１１２にて電子メールの送信を実行した場合、
メールアドレス取得解析部１１４にて、電子メール内の送受信のメールアドレスを、ドメ
イン単位に分割を行う。そしてメールアドレス情報テーブル１２２と送信元メールアドレ
ス情報テーブル１２３に反映させ、送信履歴確認部１１に制御を移す。
【００１８】
送信履歴確認部１１５では、送信履歴テーブル１２４の情報を確認することで、過去に
送信実績があるかどうかを確認し、メールアドレス情報テーブル１２２に送信回数を反映
させ、ドメイン確認部１１６に制御を移す。
【００１９】
ドメイン確認部１１６では、送信元のメールアドレスと送信先のメールアドレスの各ド
メイン階層の違いを比較する。そして、ユーザが事前に定義するドメイン対応テーブル１
２５の情報を確認しメールアドレス情報テーブル１２２にドメインの別名を反映させ表示
可否判断部１１７に制御を移す。
【００２０】
表示可否判断部１１７では、表示条件テーブル１２６とメールアドレス情報テーブル１
２２を比較し送信先メールアドレスを描画するかどうかを決定する。そして送信先表示部
１１８に制御を移す。
【００２１】
送信先表示部１１８では、まず表示条件テーブル１２６の情報にしたがって、それぞれ
のドメインをフレームとして描画する。このとき上位ドメインは、下位ドメインを内包す
る集合の図として表示する。
【００２２】
そして表示可否判断部１１７で表示することに決定されたメールアドレスを、表示書式
テーブル１２７の書式にそって描写する。送信元から送信先を示す矢印については、送信
元の属するドメインから送信先の属するドメインの方向で表示する。
【００２３】
そして送信後処理部１１９に制御を移す。
【００２４】
送信後処理部１１９では、送信したメールアドレスについて送信履歴テーブル１２４に
送信回数の加算の反映、また送信回数が初回の場合は登録し処理を終了する。
【００２５】
本システムでは、画面表示上の送信先メールアドレスに対応した矢印を選択し削除する
ことにより、送信宛先から削除することができる。送信先削除部１２０では、ユーザによ
る設定変更を表示条件テーブル１２６、表示書式テーブル１２７に反映させ、送信先表示
部１１８に遷移を移す。
【００２６】
本システムでは、画面表示上の送信先メールアドレスをＧＵＩから指定し削除すること
ができる。ユーザによる削除対象のメールアドレスをメールアドレス情報テーブル１２２
から削除し、表示可否判断部１１７に遷移を移す。
【００２７】
メールアドレス情報テーブル１２２は、送信先のメールアドレスに関する情報を格納す
る。図２で示すように、送信先のメールアドレス２０２、「.」で区切られた各ドメイン
（２０３から２０７）、ＴＯ，ＣＣ、ＢＣＣといった宛先の属性情報２０９、送信先と送
信元の同じ階層のドメインを比較しどの階層まで一致するのかをあらわす階層２０８、過
去の同じアドレスに対しての送信回数２１０を持つ。
【００２８】
ドメインの格納順については、「.」で区切られ上位階層にあたる右側から順に、ドメ
イン１、ドメイン２と格納される。２１4の例では、ＣＣ属性のメールアドレスggg@hhh.i
ii.co.jpは、右側から順にドメイン１にjp、ドメイン２にco、ドメイン３にiii、ドメイ
ン４にhhhが格納される。
【００２９】
送信元メールアドレス情報テーブル１２３は、メール送信者のアドレス情報として図３
で示すように、送信者のメールアドレス３０１、送信者のドメイン名を階層別に抽出した
ドメイン名３０２から３０６を持つ。
【００３０】
送信履歴テーブル１２４は、図４で示すように過去に本システムから送信したメールア
ドレスの回数を記録し、メールアドレス名４０１と送信回数４０２を持つ。
【００３１】
ドメイン対応テーブル１２５は、図５で示すようにドメイン名５０１とドメインに対応
する別名５０２を持つ。なお、このドメイン対応テーブルは、メールクライアントの利用
者が随時追加していくものとする。
【００３２】
表示条件テーブル１２６は、図６で示すように本システムによる描写の条件を登録した
設定情報である。
【００３３】
画面描写のフレームとなるドメインをどの階層まで表示するのかを決定する表示ドメイ
ン６０１、本項目で設定した送信回数以下のメールアドレスのみ画面に表示させる送信回
数６０２、送信先を表示するかどうかを決定する際の基準とするドメインレベルを持つ。
【００３４】
ドメインレベル６０３の場合は、ドメイン基準を「１」「２」「３」「４」「５」の５
段階に設定可能であり、それぞれの値は、ドメイン１からドメイン５に対応している。
【００３５】
ドメインレベルが「３」の場合は、送信先と送信元のドメインを比較し、ドメイン１、
ドメイン２が同じで、ドメイン３で初めて異なるメールアドレスのみを表示させる。
【００３６】
表示書式テーブル１２７は、図７で示すように画面に送信先のメールアドレスを矢印と
して表示する場合に、矢印の書式と書式が反映される条件を登録した設定情報である。
条件に対応するＮｏ７０１、反映される条件として、書式の変更が反映される送信回数の
基準値として利用する送信回数７０２、書式の変更が反映されるドメインの基準値として
使用するドメイン基準７０３を持つ。更に矢印の表示書式として矢印色７０４、線種７０
５、太さ７０６を持つ。
【００３７】
７０７の例では、送信回数が５回以下で、かつ送信先と送信元のドメインを比較しドメ
イン３で異なっている条件に合致した送信先が、表示される矢印の色が「赤」で点線で表
示され、線の太さが３．０の書式で表示されることを示している。
【００３８】
図８は、メールアドレス取得解析部１１４によるメールアドレス情報の取得の流れを示
したフローチャートである。
【００３９】
メーラーによって入力済みの宛先をメールアドレス情報テーブル１２２に格納する。
【００４０】
このときメールアドレス２０２には、対応するＮＯ２０１が付加され、メールアドレス
はピリオド記号を区切りとして分割し、分割されたドメインの数に応じて右側から順に各
ドメインはドメイン１からドメイン５に格納し、属性２０９を記録する（ステップ８０１
）。また送信元メールアドレス情報テーブル１２３も同様に、メールアドレス、ドメイン
１からドメイン５までを格納する（ステップ８０２）。次に送信元メールアドレス情報テ
ーブル１２３に送信者のメールアドレス３０１とドメイン１からドメイン５を格納し（ス
テップ８０２）、処理を終了する。
【００４１】
２１１に対応するメールアドレス（aaa@xxx.co.jp）の場合は、ドメイン１に「jp」、
ドメイン２に「co」、ドメイン３に「xxx」となり、ドメイン４、ドメイン５には対応す
るドメインがないため格納されない。
【００４２】
図９は、過去の送信履歴情報を確認する送信履歴確認部の流れを示したフローチャート
である。
【００４３】
ステップ９０１では、メールアドレス情報テーブル１２２から先頭の１レコードを取り
だす。次にステップ９０２では、このレコードのメールアドレスをキーにして、送信履歴
テーブル１２４を検索し、送信回数４０２の抽出を試みる。そしてステップ９０３でこの
とき該当のメールアドレスが存在する場合は、メールアドレス情報テーブル１２２の回数
２１０に、抽出した送信回数を反映させる。該当アドレスが存在しない場合は、ステップ
９０４に移り、初めての送信相手と判断しメールアドレス情報テーブル１２２の回数列に
「０」を反映させる。
【００４４】
ステップ９０５で、全てのメールアドレスに対して送信回数の確認が行われたかを確認
し、未確認のメールアドレスがあった場合は、ステップ９０１に移り次のメールアドレス
を取り出す。全て確認済みの場合は終了する。
【００４５】
図１０は、送信先と送信元のドメインの比較を行うドメイン確認部の流れを示したフロ
ーチャートである。
【００４６】
ステップ１００１にて、メールアドレス情報テーブル１２２から先頭の１レコードを取
り出す。取り出したレコードのドメイン１からドメイン５を順に比較するために、ドメイ
ン確認のカウンタ「i」を「1」として初期化する（ステップ１００２）。ステップ１００
３では、送信元と送信先のドメインの比較を行うため、相互の同じドメインの値が等しい
かどうかの確認を行う。
【００４７】
異なっている場合は、ステップ１００４に進み、そのカウンタの値を、メールアドレス
情報テーブル１２２のドメイン判定２０８に反映させ、ステップ１００６に移る。
【００４８】
同じ値の場合は、ステップ１００５で、ドメイン確認のカウンタ「I」の値を１増加さ
せ次に進む。ステップ１００６では、全てのメールアドレスに対してドメインの確認が行
われたかを確認し、未確認のメールアドレスがあった場合は、ステップ１００１に移り次
のメールアドレスを取り出す。全て確認済みの場合は終了する。
【００４９】
図１１は、抽出したドメイン情報および過去の送信履歴からメール宛先を画面出力する
かどうかを判定する表示可否判断部のフローチャートである。
【００５０】
ステップ１１０１にて、メールアドレス情報テーブル１２２から1レコードを取り出す
。次に、取り出したレコードの回数２１０と、判断基準となる表示条件テーブル１２６の
送信回数を比較する（ステップ１１０２）。回数２１０が設定された基準回数以下であれ
ば、画面表示させると判断し、レコードを表示リスト（図２０）に追加する（ステップ１
１０５）。
【００５１】
大きい場合は次の条件と比較するためにステップ１１０３に移る。
【００５２】
ステップ１１０３では、ステップ１１０１で取り出したレコードのドメイン判定２０８
と表示条件テーブル１２６のドメイン階層６０３を比較する。
【００５３】
送信先と送信元のドメインの違いを示すドメイン判定２０８が、設定されたドメインレ
ベル６０３以下であれば、画面に表示させると判断され、表示リストに追加する（ステッ
プ１１０５）。大きい場合は画面に表示しないと判断し次に進む。
【００５４】
ステップ１１０４では、全てのメールアドレスに対してドメインの確認が行われたかを
確認し、未確認のメールアドレスがあった場合は、ステップ１１０１に移り次のメールア
ドレスを取り出す。
【００５５】
全て確認済みの場合はステップ１１０５で登録した表示させるアドレスのリストを送信
先表示部に渡し処理を終了する（ステップ１１０６）。
【００５６】
図１１での処理の流れを図１９のメールアドレス情報テーブルと図６表示条件テーブル
の値を用いて詳細な説明を行う。
【００５７】
まず１９０１のレコードを取り出し、次に送信回数のチェックを行う（ステップ１１０
１）。このレコードの過去に送信した回数は「１０」であり、表示条件テーブルの送信回
数に関する設定値は「８」である。両方の値を比較した結果、基準値となる表示条件テー
ブルの値よりも大きいため、次のドメインのチェックに移る。次にこのレコードのドメイ
ン判定の値は「３」であり、表示条件テーブルのドメイン比較に関する設定値は「２」で
ある。両方の値を比較した結果基準値より大きいためこのレコードに関して表示は行わな
いと判断し（ステップ１１０２、ステップ１１０３）、次の１９０２レコードのチェック
を行う（ステップ１１０４、ステップ１１０１）。
【００５８】
このレコードの過去に送信した回数は「１」であり、表示条件テーブルの送信回数に関
する設定値は「８」である。両方の値を比較した結果、基準値となる表示条件テーブルの
値以下であるため、表示リストにレコードを追加する（ステップ１１０２、ステップ１１
０５）。メールアドレス情報テーブルに格納されているレコード全てを確認したため、処
理を終了する（ステップ１１０４、ステップ１１０６）。
【００５９】
図１２は、受け取った表示リストのメールアドレス及びそのドメインの関係を図で表示
する送信先表示部のフローチャートである。
【００６０】
ステップ１２０１では、表示条件テーブル１２６の「表示ドメイン」６０１の値を取り
出し、値以下のドメインの枠線及びドメイン名を描画する。
【００６１】
次に描画したドメインの枠線名を表示する際に「ドメイン名」５０１をキーとして、ド
メイン対応テーブル１２５を検索し該当する別名５０２があれば、別名として表示させる
。検索して該当しなければドメイン名のまま表示させる（ステップ１２０２）。
【００６２】
次にステップ１２０３にて、表示リストから1レコードを取り出す。ステップ１２０４
で表示リストから取り出したレコードが、表示書式テーブルの条件全てと比較済みかどう
かを確認する。未比較な条件があればステップ１２０５へ進み比較を行い、全ての表示書
式テーブルの条件が比較済みであれば、規定値の矢印の書式に従って矢印の描画を行う（
ステップ１２０７）。
【００６３】
ステップ１２０５では、表示書式の条件と合致しているかを確認する。
【００６４】
表示リストの回数が、表示書式テーブル１２７の送信回数７０２以下であり、かつ表示
リストのドメイン判定が表示書式テーブル１２７のドメイン基準７０３以下であれば、表
示書式を変更する条件に合致したと判断し、ステップ１２０６に進む。なお送信回数７０
２、ドメイン基準７０３が空白の場合は比較の結果を真とし条件に合致したものとする。
条件に合致しない場合は次の書式条件に合致しているかを確認する（ステップ１２０４）
。
【００６５】
ステップ１２０６では、合致した条件の書式にしたがって、矢印色７０４、線種７０５
、太さ７０６を変更し、矢印の描画を行う。矢印については送信元のドメインから送信先
のドメインの方向で作成する。
【００６６】
次に、表示リストの全てのレコードに対して、表示書式の条件への合致しているかの確
認が行われたかを確認し、未確認のレコードがあれば、ステップ１２０３に移り、次のレ
コードを取り出す。全て確認済みの場合は処理を終了する（ステップ１２０８）。
【００６７】
図１２での処理の流れを図５ドメイン対応テーブル、図６表示条件テーブル、図７の表
示書式テーブルおよび表示可否判断部から渡された図２０の表示リストの値を用いて詳細
な説明を行う。
【００６８】
まず、図６表示条件テーブルの表示するドメイン６０１の値が「３」であるため、図２
０の表示リストのドメイン１，２，３について描画する（ステップ１２０１）。このとき
、上位ドメインである「jp」は、下位ドメインである「co」を内包する集合として表す（
図１６の出力画面例の１６０１，１６０２，１６０３，１６０４）。次にドメイン名の別
名での表示では、２００１のドメイン３の値が「xxx」が、ドメイン対応テーブルの５０
３と合致するため「ＸＸＸ商事」として１６０５であらわすように置き換え表示を行う（
ステップ１２０２）。
【００６９】
次に２００１のレコードを取り出し、条件チェックを行う（ステップ１２０３、ステッ
プ１２０４）。２００１であらわすレコードの送信回数は「１０」、ドメイン判定は「３
」である。一方、表示書式テーブルの７０１であらわす条件１の送信回数は「５」、ドメ
イン基準は「３」である。この時、送信回数については表示リストのレコード「１０」が
表示書式テーブルの送信回数「３」より大きいため、書式設定の条件には該当しない（ス
テップ１２０５）。次に表示書式テーブルの７０３であらわす条件２の送信回数は「１」
、ドメイン判定は空白を用いてチェックを行う（ステップ１２０４）。この時、送信回数
については表示リストのレコード「１０」が表示書式テーブルの送信回数「１」より大き
いため、書式設定の条件には該当しない（ステップ１２０５）。
【００７０】
２００１のレコードについては全ての表示書式の条件をチェック済みのため、規定値の
書式に従い１６０６であらわすように矢印の描画を行う。次に２００２のレコードに対し
て確認を行う（ステップ１２０３、ステップ１２０４）。２００２であらわすレコードの
送信回数は「３」、ドメイン判定は「２」である。この時、送信回数については表示リス
トのレコード「３」は表示書式テーブルの送信回数「５」以下であるため条件を満たし、
更にドメインの判定「２」は表示書式テーブルのドメイン基準「３」以下であり条件を満
たす（ステップ１２０５）。両方の条件に合致するため、表示書式テーブルの書式に沿っ
て１６０７であらわすように矢印の描画を行う（ステップ１２０６）。
【００７１】
図１３では、送信後に送信履歴テーブルの更新を行う送信後処理部のフローチャートで
ある。
【００７２】
図１６における送信ボタン１６０３を押すと処理が開始される（ステップ１３０１）。
【００７３】
次にメールアドレス情報テーブル１２２から最初のレコードを取り出す（ステップ１３
０２）。次にメールアドレスをキーに、送信履歴テーブル１２４を検索し、回数を抽出す
る（ステップ１３０３）。この検索で該当レコードが存在するかどうかを確認し（ステッ
プ１３０４）、送信履歴テーブル１２４の送信回数に１を加算し更新する（ステップ１３
０５）。レコードが存在しない場合は、初めての送信先であると判断し、送信履歴テーブ
ルにメールアドレス名４０１と送信回数４０２を新しく追加する。
【００７４】
ステップ１３０７では、全てのメールアドレスに対してドメインの確認が行われたかを
確認し、未確認のメールアドレスがあった場合は、ステップ１３０２に移り次のメールア
ドレスを取り出す。全て確認済みの場合はステップ１３０８へ移る。
【００７５】
ステップ１３０８では、実際にメールを送信するために、メールアドレス情報テーブル
１２２のメールアドレス２０２と属性２０９の値をメーラー１１２に渡し、メールを実際
に送信する。
【００７６】
図１４は、画面表示上からの操作で送信アドレスを削除する送信先削除部の処理のフロ
ーチャートである。宛先である矢印を選択し削除を行う（ステップ１４０１）。次に矢印
に対応するレコードをメールアドレス情報テーブル１２２から削除を行う（ステップ１４
０２）。次に表示可否判断部１１７に遷移し再描画を行う。
【００７７】
図１５は、ＧＵＩ上から画面出力条件の変更を行うことで表示の変更を行う宛先表示変
更部１２１のフローチャートである。
【００７８】
宛先表示画面出力である図１６の書式設定ボタン１６０９を押すと処理が開始され、書
式設定画面である図１７が表示される（ステップ１５０１、ステップ１５０３）。この書
式設定画面の設定項目１７０１は、表示書式テーブル１２７と対応しており、設定変更後
にＯＫボタン１７０２を押すと表示書式テーブルに変更が反映される（ステップ１５０５
）。次に表示可否判断部１１７に遷移し再描画を行う（ステップ１５０６）。
【００７９】
宛先表示画面出力である図１６の表示設定ボタン１６０８を押すと処理が開始され、表
示設定変更画面である図１８が表示される（ステップ１５０１、ステップ１５０２）。表
示設定変更画面の設定項目１８０１、１８０２は、表示条件テーブル１２６と対応してお
り、設定変更後にＯＫボタン１８０３を押すと表示条件テーブルに変更が反映される（ス
テップ１５０４）。次に表示可否判断部１１７に遷移し再描画を行う（ステップ１５０６
）。
【図面の簡単な説明】
【００８０】
【図１】本発明の実施の形態１におけるシステムの構成図。
【図２】メールアドレス情報テーブル。
【図３】送信元メールアドレス情報テーブル。
【図４】送信履歴テーブル。
【図５】ドメイン対応テーブル。
【図６】表示条件テーブル。
【図７】表示書式テーブル。
【図８】メールアドレス取得解析部のフローチャート。
【図９】送信履歴確認部のフローチャート。
【図１０】ドメイン確認部のフローチャート。
【図１１】表示可否判断部のフローチャート。
【図１２】送信先表示部のフローチャート。
【図１３】送信後処理部のフローチャート。
【図１４】送信先削除部のフローチャート。
【図１５】宛先表示変更部のフローチャート。
【図１６】宛先表示画面出力例。
【図１７】書式変更画面。
【図１８】表示設定変更画面。
【図１９】メールアドレス情報テーブル例。
【図２０】表示リスト例。
【符号の説明】
【００８１】
１０１…メールサーバ、１０２…メールクライアント、１０３…ネットワーク、１０４
…メモリ、１０５…ＣＰＵ、１０６…ハードディスク、１０７…メモリ、１０８…ＣＰＵ
、１０９…ハードディスク、１１０…入力装置、１１１…表示装置、１１２…メーラー、
１１３…メール宛先支援システム、１１４…メールアドレス取得解析部、１１５…送信履
歴確認部、１１６…ドメイン確認部、１１７…表示可否判断部、１１８…送信先表示部、
１１９…送信後処理部、１２０…送信先削除部、１２１…宛先表示変更部、１２２…メー
ルアドレス情報テーブル、１２３…送信元メールアドレス情報テーブル、１２４…送信履
歴テーブル、１２５…ドメイン対応テーブル、１２６…表示条件テーブル、１２７…表示
書式テーブル。
【図１】
2008257536.tif 000003
【図２】
2008257536.tif 000004
【図３】
2008257536.tif 000005
【図４】
2008257536.tif 000006
【図５】
2008257536.tif 000007
【図６】
2008257536.tif 000008
【図７】
2008257536.tif 000009
【図８】
2008257536.tif 000010
【図９】
2008257536.tif 000011
【図１０】
2008257536.tif 000012
【図１１】
2008257536.tif 000013
【図１２】
2008257536.tif 000014
【図１３】
2008257536.tif 000015
【図１４】
2008257536.tif 000016
【図１５】
2008257536.tif 000017
【図１６】
2008257536.tif 000018
【図１７】
2008257536.tif 000019
【図１８】
2008257536.tif 000020
【図１９】
2008257536.tif 000021
【図２０】
2008257536.tif 000022